(57)【要約】【課題】  伸張性防水シートの伸張度合を容易に確認することができる伸張性防水シートを提供する。【解決手段】  基材層２、粘着層３、剥離層４の３層をこの順番で積層して伸張性防水シート１を構成する。そして、当該伸張性防水シート１の表面（基材層２の表面）に格子状の目盛り５を設ける。かかる伸張性防水シート１が、複雑な形状をした防水箇所に粘着されると、表面に形成された目盛り５が、防水箇所の形状に合わせて引き伸ばされる。このとき、最も引き伸ばされた目盛りの間隔を測定し、予め測定しておいた基準値と比較することにより、伸張性防水シートの伸張度合が基準値以下であることを容易に確認することができる。【選択図】      図１
2005299109.tif 000002
【特許請求の範囲】
【請求項１】
引き伸ばした状態で防水箇所に粘着させる伸張性防水シートであって、
前記伸張性防水シートの伸張度合を測定するための目盛りが、前記伸張性防水シートの表面に形成されていることを特徴とする伸張性防水シート。
【請求項２】
前記目盛りは、少なくとも一方向に等間隔で設けられていることを特長とする請求項１に記載の伸張性防水シート。
【請求項３】
前記目盛りは、互いに直交する２方向に等間隔で設けられていることを特徴とする請求項１に記載の伸張性防水シート。
【請求項４】
前記目盛りは、互いに直交する２方向に等間隔で配列された直線により、格子状に形成されていることを特徴とする請求項１に記載の伸張性防水シート。
【請求項５】
前記目盛りは、互いに直交する２方向に等間隔で配列されたドットにより、マトリックス状に形成されていることを特徴とする請求項１に記載の伸張性防水シート。
【請求項６】
前記目盛りは、異なる色彩の正方形形状の模様を交互に配列してなる市松模様により形成されていることを特徴とする請求項１に記載の伸張性防水シート。
【請求項７】
請求項１から請求項６のいずれか１項に記載の伸張性防水シートの施工品質の管理方法であって、
前記伸張性防水シートを伸張させて防水箇所に粘着させるステップと、
粘着させた前記伸張性防水シートの目盛りのうち、最も伸張している目盛りの間隔を測定するステップと、
測定された前記目盛りの間隔が、予め求められた前記伸張性防水シートの防水性能を保証する前記目盛りの最大間隔よりも小さいか否かを判定するステップと、
からなることを特徴とする伸張性防水シートの施工品質の管理方法。
【発明の詳細な説明】
【技術分野】
【０００１】
本発明は、伸張性防水シートの伸張度合を測定するための目盛りを備えた伸張性防水シートに関する。
【背景技術】
【０００２】
従来、建物の入隅部や出隅部等の複雑な形状をした部分を容易に防水施工できるように、伸張性を備えた防水シート（以下、「伸張性防水シート」という。）が開発されている（例えば特許文献１参照）。かかる伸張性防水シートによれば、当該シートを手で引き伸ばしながら、前記入隅部や出隅部に形成された目地部や部材接合部等（以下、「防水箇所」と適宜略称する。）に覆い被せることにより、防水シートの弛みを防止しつつ、防水シートと防水箇所を確実に密着させることができる。
【特許文献１】特開平６−３４４５１２（段落番号［０００４］〜［００１０］、図１）
【発明の開示】
【発明が解決しようとする課題】
【０００３】
従来の伸張性防水シートは、複雑な形状をした防水箇所に対応できるように、高い伸張性を有しており、少しの力で元の長さの数倍にまで伸張する。また、伸張性防水シートは、引き伸ばされると、その割合に応じて厚さが薄くなり、引き伸ばし過ぎれば破れてしまうこともある。
【０００４】
このような伸張性防水シートを、防水箇所の形状に合わせて引き伸ばして覆い被せようとすると、防水箇所の形状によっては、伸張性防水シートを引き伸ばし過ぎてしまう場合がある。また、伸張性防水シートは手で引き伸ばして使用するものであるため、伸張性防水シートの引き伸ばし具合がわからずに、引き伸ばし過ぎてしまう場合がある。伸張性防水シートを引き伸ばし過ぎると、シート厚さが防水に必要な厚さを下回り、期待する防水性能が初期時点で確保できなくなるばかりか、過度の伸張により戻ろうとする内部応力が大きくなることによってシートの剥がれなどが生じる恐れが大きくなり、中長期的な防水性にも大きな不安要素となる。そのため、伸張性防水シートを施工した場合には、施工後における伸張性防水シートのシート厚さが所定の値を下回っていないことを確認する必要がある。
【０００５】
しかしながら、防水箇所に張り付いた状態の伸張性防水シートのシート厚さを測定することは困難であった。そのため、伸張性防水シートの伸張率とシート厚さの関係をあらかじめ調べておき、伸張性防水シートの伸張率を測定することにより、シート厚さを間接的に測定することが考えられる。
【０００６】
ところが、従来の伸張性防水シートについて引き伸ばし具合を確認するためには、引き伸ばす前の伸張性防水シートの全長を記録しておき、引き伸ばし後（施工後）のシートの全長を計測し、これらを比較することにより、引き伸ばし具合を確認する必要があった。そのため、かかる作業に非常に手間がかかっていた。
【０００７】
また、この方法では、伸張性防水シート全体の引き伸ばし具合についてしか確認することができないため、例えば、防水箇所の形状によって伸張性防水シートが局部的に大きく引き伸ばされている場合などに、それを発見することができなかった。そのため、防水不良を見逃してしまうという問題があった。
【０００８】
本発明は、これらの問題点を解決するためになされたものであり、伸張性防水シートの伸張度合を容易に確認することができる伸張性防水シートを提供することを目的とする。
また、本発明は、当該伸張性防水シートを用いて伸張性防水シートの施工品質を容易に管理する方法を提供することを他の目的とする。
【課題を解決するための手段】
【０００９】
請求項１に係る伸張性防水シートは、引き伸ばした状態で防水箇所に粘着させる伸張性防水シートであって、前記伸張性防水シートの伸張度合を測定するための目盛りが、前記伸張性防水シートの表面に形成されていることを特徴とする。
【００１０】
かかる伸張性防水シートによれば、伸張性防水シートの表面に、伸張性防水シートの伸張度合を測定するための目盛りを備えていることから、当該伸張性防水シートを引き伸ばした状態で防水箇所に粘着させると、当該目盛りも一緒に引き伸ばされることとなる。そのため、引き伸ばされた目盛りのうち、もっとも間隔が大きくなっている個所を測定することにより、伸張性防水シートの伸張度合を容易に確認することができる。
なお、前記目盛りは、伸張性防水シートの表面全体に設けられているのが好ましい。
【００１１】
請求項２に係る伸張性防水シートは、請求項１に記載の伸張性防水シートであって、  前記目盛りは、少なくとも一方向に等間隔で設けられていることを特長とする。
【００１２】
かかる伸張性防水シートによれば、伸張性防水シートの伸張度合を測定するための目盛りが、少なくとも一方向に等間隔で設けられていることから、当該目盛りが設けられている方向に伸張性防水シートを引き伸ばして防水箇所に貼り付けることにより、少なくともその方向については、伸張性防水シートの伸張度合を測定することができる。例えば、防水シートが帯状（テープ状）に細長く形成され、主に一方向にのみ引き伸ばされて使用される場合には、少なくとも一方向に等間隔で目盛りが設けられていれば、当該目盛りによって伸張性防水シートの伸張度合を測定し、管理することができる。
【００１３】
請求項３に係る伸張性防水シートは、請求項１に記載の伸張性防水シートであって、前記目盛りは、互いに直交する２方向に等間隔で設けられていることを特徴とする。
【００１４】
かかる伸張性防水シートによれば、前記目盛りは、互いに直交する２方向に等間隔で設けられていることから、それぞれの目盛りの間隔をそれぞれ計測することにより、２方向の伸張度合を測定することができる。そのため、例えば、伸張性防水シートが防水箇所の形状に因っていろいろな方向に引き伸ばされている場合であっても、２つの方向の伸び具合を測定することができるため、局部的な引き伸ばしによる防水シートの厚さ不足を発見することができる。
なお、引き伸ばす前の目盛りの間隔は、細かければ細かいほど、伸張性防水シートの局部的な伸張度合を測定することができる。引き伸ばす前の目盛りの間隔としては、１ｃｍ〜５ｃｍ程度が好ましい。
【００１５】
なお、前記目盛りは、互いに直交する２方向に等間隔で配列された直線により、格子状に形成されているのが好適である（請求項４）。また、前記目盛りは、互いに直交する２方向に等間隔で配列されたドットにより、マトリックス状に形成されているのが好適である（請求項５）。また、前記目盛りは、異なる色彩の正方形形状の模様を交互に配列してなる市松模様により形成されているのが好適である（請求項６）。これらの構成によれば、いずれも伸張性防水シートの表面に２方向に等間隔で目盛りが形成されるため、伸張性防水シートがいろいろな方向に引き伸ばされている場合でも、伸張性防水シートの伸張度合を容易に測定することができる。
【００１６】
請求項７にかかる発明は、請求項１から請求項６のいずれか１項に記載の伸張性防水シートの施工品質の管理方法であって、前記伸張性防水シートを伸張させて防水箇所に粘着させるステップと、粘着させた前記伸張性防水シートの目盛りのうち、最も伸張している目盛りの間隔を測定するステップと、測定された前記目盛りの間隔が、予め求められた前記伸張性防水シートの防水性能を保証する前記目盛りの最大間隔よりも小さいか否かを判定するステップと、からなることを特徴とする。
【００１７】
かかる方法によれば、前記伸張性防水シートを伸張させて防水箇所に粘着させることにより、前記伸張性防水シートの表面に形成された目盛りが、防水箇所の形状に合わせて引き伸ばされる。そして、前記目盛りのうち、最も伸張している目盛りの間隔を測定することにより、当該伸張性防水シートの局部的な伸びを把握することができる。そして、測定された前記目盛りの間隔が、予め求められた前記伸張性防水シートの防水性能を保証する前記目盛りの最大間隔よりも小さいか否かを判定することにより、伸張性防水シートが所定の防水性能を満足することを確認することができる。そのため、かかる方法によれば、伸張性防水シートの施工品質を容易に管理することができる。
【発明の効果】
【００１８】
本発明によれば、伸張性防水シートの伸張度合を容易に確認することができ、また、伸張性防水シートの施工品質を容易に管理することができることから、伸張性防水シートの防水不良を効果的に防止することができる。
また、本発明によれば、伸張性防水シートの引き伸ばし過ぎを容易に発見できることから、シート内部に過度の引っ張り応力が生じることを防止することができる。そのため、施工後、しばらくしてから防水シートが剥がれてしまうようなことがない。
また、伸張性防水シートの品質管理が容易となることから、伸張性防水シートを施工する際の作業効率を向上させることができる。
【発明を実施するための最良の形態】
【００１９】
本発明を実施するための最良の形態について、図面を参照して詳細に説明する。なお、参照する図面において、同一の要素には同一の符号を付し、重複する説明は省略する。
【００２０】
＜伸張性防水シートの構造＞
図１は、第１実施形態に係る伸張性防水シートの一部切り欠き斜視図である。
伸張性防水シート１は、図１に示すように、基材層２、粘着層３、剥離層４の３層が、この順番で積層されて構成されている。そして、この伸張性防水シート１の表面（粘着層３からみて基材層２の反対側の面）には、格子状の目盛り５が設けられている。
【００２１】
伸張性防水シート１については、伸張性防水シート１の目盛間隔ａ（図３参照）とシート厚さｔとの関係を予め調べておき、所定の防水性能を発揮するために最低限必要なシート厚さｔminと、そのときの伸張性防水シート１の目盛間隔ａmaxを把握しておく必要がある。このａmaxが、伸張性防水シート１の防水性能を管理するための基準値となる。なお、かかる基準値が、特許請求の範囲にいう「伸張性防水シートの防水性能を保証する目盛りの最大間隔」に相当する。
【００２２】
基材層２は、粘着性を有しない伸張性に富んだ合成ゴム又は合成樹脂（例えばポリエチレンフィルム）からなる層であり、伸張性防水シート１の表面を構成する層である。基材層２の一方の面には、格子状の目盛り５が形成されている。目盛り５については後に詳しく説明する。
【００２３】
粘着層３は、粘着性を有する伸張性に富んだ合成ゴム又は合成樹脂（例えばブチルゴム系粘着剤）からなる層であり、基材層２の他方の面に固着されている。基材層２と粘着層３とは、一体化されており、後記する剥離層４を剥離させて、伸張性防水シート１に引張力を加えると、両者は一体的に伸張するようになっている。このとき、基材層２に形成された目盛り５も同じように伸張する。
【００２４】
剥離層４は、いわゆる剥離紙であり、伸張性防水シート１の未使用時に粘着層３を保護するものである。剥離紙（剥離層４）は、紙であるため伸縮性を有さない。したがって、伸張性防水シート１は、剥離紙を剥がしていない状態では伸張できないようになっている。
【００２５】
目盛り５は、図１に示すように、格子状に形成されている。目盛り５は、伸張性防水シート１（基材層２）の表面に印刷されており、伸張性防水シート１の伸張に伴って伸張するようになっている。これにより、施工前後の目盛り５の間隔を比較して、伸張性防水シート１の伸張度合を測定することができる。また、目盛り５は、伸張性防水シート１の局部的な伸びを測定できるように、基材層２の表面全体に形成されている。
【００２６】
＜伸張性防水シートの使用方法＞
つづいて、伸張性防水シート１の使用方法について、図面を参照して説明する。図２は、伸張性防水シートの使用方法を示したフローチャートである。図３は、伸張性防水シートと防水箇所の施工前の状態を示した図である。図４は、伸張性防水シートの施工後の状態を示した図である。
【００２７】
はじめに、防水箇所Ｂの大きさよりも小さめの伸張性防水シート１を用意し、剥離紙４を剥離する（ステップＳ１）。ここでは、引き伸ばす前の伸張性防水シート１の目盛り５の間隔をａとする（図３参照）。
【００２８】
次に、図３に示すように、用意した伸張性防水シート１の両端を手で把持し、防水箇所Ｂの大きさに合わせて伸張させる（ステップＳ２）。
【００２９】
そして、伸張させた状態の伸張性防水シート１を防水箇所Ｂの形状に沿って粘着させる（ステップＳ３）。このとき、伸張性防水シート１の形状が防水箇所Ｂの形状に合うように、ステップＳ２で引き伸ばした方向とは異なる方向へも伸張性防水シート１を適宜引き伸ばし、伸張性防水シート１と防水箇所Ｂとをしっかりと粘着させる。これにより、伸張性防水シート１は、図４に示すような状態となる。
【００３０】
次に、図４に示すような状態となった伸張性防水シート１の表面の格子状の目盛り５を観察し、元の目盛りの間隔ａに比べて最も大きくなっている目盛りの間隔を、定規等を用いて測定する（ステップＳ４）。このとき、格子状の目盛り５は互いに直交する２方向に形成されていることから、２つの方向の目盛りの間隔（図４、符号Ｘ、Ｙ参照）を測定することができる。最も伸びている目盛り５がはっきりわからない場合は、大きく伸びている目盛り５を何箇所か測定して最も大きく伸びている目盛りを探す。
【００３１】
仮に、最も大きな目盛りの間隔がＸ（以下、「最大目盛間隔Ｘ」という。）であったとすると、当該最大目盛間隔Ｘと、前記した基準値ａmaxとを比較し、下式（１）に基づいて判定を行う（ステップＳ５）。
Ｘ＜ａmax  ・・・（１）
【００３２】
このとき、最大目盛間隔Ｘが基準値ａmaxよりも大きい場合は（ステップＳ５、Ｎｏ）、当該伸張性防水シート１のシート厚さｔが、所定の防水性能を発揮するのに必要なシート厚さｔminを、局部的に下回っているということであるから、当該伸張性防水シート１を防水箇所Ｂから剥がし（ステップＳ７）、もう一度ステップＳ１からやり直す。
【００３３】
一方、最大目盛間隔Ｘが基準値ａmaxよりも小さい場合は（ステップＳ５、Ｙｅｓ）、当該伸張性防水シート１全体において、シート厚さｔが最小シート厚さｔmin以上であること、換言すれば、所定の防水性能を満足することが確認されたこととなる（ステップＳ６）。これにより、伸張性防水シート１の施工不良（防水不良）が防止されることとなる。
【００３４】
＜その他の実施形態＞
図５は、本発明の第２実施形態に係る伸張性防水シートを示した平面図である。
第２実施形態に係る伸張性防水シート１１は、その表面に形成された目盛り１５の形状以外は、第１実施形態に係る伸張性防水シート１と略同様の構成をしており、基材層２と、粘着層３と、剥離層４とがこの順番に積層されて構成されている（図１参照）。
そして、伸張性防水シート１１の表面に形成された目盛り１５は、互いに直交する２方向に等間隔で配列されたドットにより、マトリックス状に形成されている。
かかる構成の伸張性防水シート１１によっても、前記ドットの間隔を測定することにより、伸張性防水シート１１の伸張度合を管理することができる。
なお、伸張性防水シート１１が引き伸ばされるのに伴って、前記ドット（目盛り１５）も引き伸ばされて変形することから、前記ドットの大きさは小さいほど好適である。
【００３５】
図６は、本発明の第３実施形態に係る伸張性防水シートを示した平面図である。
第３実施形態に係る伸張性防水シート１１は、その表面に形成された目盛り１５の形状以外は、第１実施形態に係る伸張性防水シート１と略同様の構成をしており、基材層２と、粘着層３と、剥離層４とがこの順番に積層されて構成されている（図１参照）。
そして、伸張性防水シート２１の表面に形成された目盛り２５は、互いに異なる色彩の正方形形状の模様２５ａ、２５ｂを交互に配列してなる市松模様により形成されている。
かかる構成の伸張性防水シート２１によっても、模様２５ａ（２５ｂ）の対向する辺の間隔を測定することにより、伸張性防水シート２１の伸張度合を管理することができる。
なお、正方形形状の模様２５ａ、２５ｂのうちの一方は、基材層２の地の色であってもよい。
【００３６】
図７は、本発明の第４の実施形態に係る伸張性防水シートを示した斜視図である。
第４実施形態に係る伸張性防水シート３１は、細長い帯状（テープ状）に形成されている点を特徴とする。また、伸張性防水シート３１の目盛り３５は、一方向に等間隔で配設された直線によって形成されている。伸張性防水シート３１はテープ状であることから、当該伸張性防水シート３１の長手方向にのみ伸張させて使用する場合が多いので、その方向の伸びを測定できれば十分だからである。もちろん、第１〜第３実施形態と同様に、格子状、マトリックス状、市松模様状の目盛りを設けてもよい。
【００３７】
以上、本発明の実施形態について図面を参照して詳細に説明したが、本発明はこれらの実施形態に限定されるものではなく、本発明の趣旨を逸脱しない範囲で適宜変更が可能である。
【００３８】
例えば、第１実施形態では目盛り５を印刷により形成することとしているが、これに限られるものではなく、いかなる方法で目盛りを形成してもよい。他の例としては、基材層２の表面に突条を格子状に立体形成してもよいし、印刷以外の方法によりインクを用いて目盛りを描いてもよい。
【００３９】
また、第１〜第４実施形態に係る伸張性防水シートは、基材層２と粘着層３と剥離層４との３層構造としたが、伸張させて防水箇所に粘着させる防水シートであれば、このような構造に限られるものではなく、例えば、基材層２と粘着層３の間に、何らかの層が設けられていてもよい。
【００４０】
また、「伸張性防水シートの防水性能を保証する前記目盛りの最大間隔」を定めるに当たって、第１〜第４実施形態においては、伸張性防水シート１の目盛間隔ａ（図３参照）とシート厚さｔとの関係を予め調べておき、所定の防水性能を発揮するために最低限必要なシート厚さｔminと、そのときの伸張性防水シート１の目盛間隔ａmaxを求めることとしたが、これに加えて、伸張性防水シートの引き伸ばし量と、そのときに生じるシート内部応力（引張応力）との関係を求め、かかるシート内部応力がシートの粘着力を上回るとき、すなわち、伸張性防水シートが剥がれるおそれが生じるときの引き伸ばし量を基準として、伸張性防水シート１の目盛間隔ａmaxを定めるようにしてもよい。
【図面の簡単な説明】
【００４１】
【図１】第１実施形態に係る伸張性防水シートの一部切り欠き斜視図である。
【図２】伸張性防水シートの使用方法を示したフローチャートである。
【図３】伸張性防水シートと防水箇所の施工前の状態を示した図である。
【図４】伸張性防水シートの施工後の状態を示した図である。
【図５】本発明の第２実施形態に係る伸張性防水シートを示した平面図である。
【図６】本発明の第３実施形態に係る伸張性防水シートを示した平面図である。
【図７】本発明の第４の実施形態に係る伸張性防水シートを示した斜視図である。
【符号の説明】
【００４２】
１      伸張性防水シート
２      基材層
３      粘着層
４      剥離層
５      目盛り
Ｂ      防水箇所
【図１】
2005299109.tif 000003
【図２】
2005299109.tif 000004
【図３】
2005299109.tif 000005
【図４】
2005299109.tif 000006
【図５】
2005299109.tif 000007
【図６】
2005299109.tif 000008
【図７】
2005299109.tif 000009